(57)【要約】  本発明は、鏡筒（１１０，２１０）と、レンズ群を組み立てるように鏡筒（１１０，２１０）に嵌め込まれる複数のレンズ（１２０）とを含むレンズ群アセンブリ及びレンズ群アセンブリに対応する光学レンズ（１０００）、撮像モジュールおよびレンズ群組立方法を提供し、複数のレンズ（１２０）のうちの少なくとも２つのレンズ（１２０）間、および／または複数のレンズ（１２０）の少なくとも１つのレンズ（１２０）と鏡筒（１１０，２１０）との間には、接着材料（２１５）がある。本発明は、レンズ（１２０）間の接着を増加させることにより、高感度マルチレンズ光学系の組立精度および組立安定性を改善することができ、アクティブキャリブレーションプロセスに基づく光学レンズ（１０００）の変動を低減することができ、元々オーバーフローする可能性のある接着材料（２１５）を収容することができ、アクティブキャリブレーションプロセスに基づく光学レンズ（１０００）の組立によって引き起こされる不良を低減することができ、特に像面湾曲とピーク変動を減らすことができる。
2021534453.tif 000002
【特許請求の範囲】
【請求項１】
鏡筒と、
レンズ群を組み立てるように前記鏡筒に嵌め込まれた複数のレンズと
を含むレンズ群アセンブリであって、
前記複数のレンズのうちの少なくとも２つのレンズ間、および／または前記複数のレンズの少なくとも１つのレンズと前記鏡筒との間には、組み立てられる前記レンズ群の構造強度を補強するための接着材料がある、ことを特徴とする、レンズ群アセンブリ。
【請求項２】
前記複数のレンズは、前端にある３つのレンズを含み、前端にある前記３つのレンズのうちの少なくとも２つのレンズ間、および／または前端にある前記３つのレンズのうちの少なくとも１つのレンズと前記鏡筒との間には、前記接着材料がある、ことを特徴とする、請求項１に記載のレンズ群アセンブリ。
【請求項３】
前記レンズは、光学領域と、前記光学領域を囲む構造領域とを有し、前記複数のレンズは、隣接する２つの接着補強レンズを含み、前記隣接する２つの接着補強レンズの前記構造領域間には前記接着材料がある、ことを特徴とする、請求項２に記載のレンズ群アセンブリ。
【請求項４】
前記レンズは、光学領域と、前記光学領域を囲む構造領域とを有し、前記複数のレンズは、隣接する第１の嵌合レンズと第２の嵌合レンズとを含み、前記第１の嵌合レンズの構造領域が第１の嵌合突出部を有し、前記第２の嵌合レンズの構造領域が第２の嵌合突出部を有し、前記第１の嵌合突出部と第２の嵌合突出部が互いにずらされ、前記第１の嵌合突出部の内側面と前記第２の嵌合突出部の外側面との間に形成される嵌合ギャップに前記接着材料が配置されている、ことを特徴とする、請求項２に記載のレンズ群アセンブリ。
【請求項５】
前記接着材料が接着剤および／または接着フィルムを含む、ことを特徴とする、請求項２に記載のレンズ群アセンブリ。
【請求項６】
前記接着材料が接着剤である場合、前記接着剤は、チクソトロピー係数が１．２以内、粘度が５００以下の接着剤である、ことを特徴とする、請求項５に記載のレンズ群アセンブリ。
【請求項７】
前記接着材料が接着剤である場合、前記複数のレンズは、隣接する２つの接着補強レンズを含み、前記隣接する２つの接着補強レンズの間には、前記接着剤を収容する切欠きを有するガスケットがある、ことを特徴とする、請求項５に記載のレンズ群アセンブリ。
【請求項８】
前記接着材料が接着フィルムである場合、前記複数のレンズは、前記接着フィルムで接着される隣接する２つの接着補強レンズを含む、ことを特徴とする、請求項５に記載のレンズ群アセンブリ。
【請求項９】
前記複数のレンズは、嵌め込み補強レンズを含み、前記嵌め込み補強レンズと前記鏡筒との間には前記接着材料がある、ことを特徴とする、請求項１に記載のレンズ群アセンブリ。
【請求項１０】
前記鏡筒の内側には、前記複数のレンズが順に嵌め込まれている複数の階段がある、ことを特徴とする、請求項１に記載のレンズ群アセンブリ。
【請求項１１】
前記複数の階段のそれぞれは、前記鏡筒の軸に平行する階段側壁と、前記鏡筒の軸に垂直な階段面とを含む、ことを特徴とする、請求項１０に記載のレンズ群アセンブリ。
【請求項１２】
前記接着材料は接着剤であり、前記鏡筒の内側には、前記複数の階段のうちの少なくとも２つの隣接する階段の間に接着剤が流れるように前記少なくとも２つの隣接する階段を連通する分流チャネルがあり、前記分流チャネルが前記接着剤で充填されている、ことを特徴とする、請求項１１に記載のレンズ群アセンブリ。
【請求項１３】
前記分流チャネルは分流溝であり、前記分流溝に対応する少なくとも１つの階段に嵌め込み補強レンズが設置され、前記嵌め込み補強レンズの外側面と前記分流溝との間のギャップは前記接着材料で充填されている、ことを特徴とする、請求項１２に記載のレンズ群アセンブリ。
【請求項１４】
前記接着材料がリング状に配置されている、または、前記接着材料がリング状における複数の点に分布されている、ことを特徴とする、請求項１に記載のレンズ群アセンブリ。
【請求項１５】
前記接着材料が、ＵＶ接着剤、ＵＶ熱硬化性接着剤、熱硬化性接着剤、湿気硬化性接着剤、嫌気性接着剤、または溶媒揮発性硬化性接着剤である、ことを特徴とする、請求項１に記載のレンズ群アセンブリ。
【請求項１６】
少なくとも１つの第１のレンズを含む第１のレンズ部材、
第２の鏡筒と、前記第２の鏡筒内に取り付けられる、前記少なくとも１つの第１のレンズと一緒に結像可能な光学系を構成する少なくとも１つの第２のレンズと、を含む第２のレンズ部材、および
前記第１のレンズ部材と前記第２のレンズ部材の間に位置し、前記第１のレンズ部材と前記第２のレンズ部材の相対位置をアクティブキャリブレーションによって決められた相対位置に保つように前記第１のレンズ部材と前記第２のレンズ部材を支持するのに適しているアクティブキャリブレーション接着剤
を含む光学レンズであって、
前記第２のレンズ部材は、請求項１〜１５のいずれか１項に記載のレンズ群アセンブリであり、前記第２の鏡筒は前記レンズ群アセンブリの前記鏡筒であり、前記少なくとも１つの第２のレンズは前記レンズ群アセンブリの前記複数のレンズである、
ことを特徴とする、光学レンズ。
【請求項１７】
前記第１のレンズ部材がさらに第１の鏡筒を含み、前記少なくとも１つの第１のレンズが前記第１の鏡筒内に取り付けられている、ことを特徴とする、請求項１６に記載の光学レンズ。
【請求項１８】
前記第１のレンズ部材は前記レンズ群アセンブリであり、前記第１の鏡筒は前記レンズ群アセンブリの前記鏡筒であり、前記少なくとも１つの第１のレンズは前記レンズ群アセンブリの前記複数のレンズである、ことを特徴とする、請求項１７に記載の光学レンズ。
【請求項１９】
前記第１のレンズ部材は前記光学レンズの前端にある、ことを特徴とする、請求項１６に記載の光学レンズ。
【請求項２０】
前記第１のレンズ部材の軸と前記第２のレンズ部材の軸との間の夾角はゼロではない、ことを特徴とする、請求項１６に記載の光学レンズ。
【請求項２１】
請求項１〜１５のいずれか１項に記載のレンズ群アセンブリを含む、ことを特徴とする、撮像モジュール。
【請求項２２】
請求項１６〜２０のいずれか１項に記載の光学レンズを含む、ことを特徴とする、撮像モジュール。
【請求項２３】
１）レンズ群を組み立てるように、内側に複数の階段を有する鏡筒に複数のレンズを順に嵌め込むステップと、
２）前記ステップ１）の実行中または前記ステップ１）の完了後に、組み立てられる前記レンズ群の構造強度を補強するように、前記複数のレンズのうちの少なくとも２つのレンズ間、及び／または前記複数のレンズの少なくとも１つのレンズと前記鏡筒との間に接着材料を添加するステップと
を含む、ことを特徴とする、レンズ群組立方法。
【請求項２４】
前記ステップ２）は、サブステップ
ａ）前記複数のレンズのうち隣接する２つのレンズについては、前のレンズを嵌め込んだ後、前記前のレンズの構造領域の表面に接着材料を配置してから、後のレンズを嵌め込むことを含む、ことを特徴とする、請求項２３に記載のレンズ群組立方法。
【請求項２５】
前記ステップ２）は、サブステップ
ｂ）前記複数のレンズのうち隣接する２つのレンズについては、前のレンズを嵌め込んだ後、前記前のレンズと前記鏡筒との間に接着材料を配置してから、後のレンズを嵌め込むことを含む、ことを特徴とする、請求項２３に記載のレンズ群組立方法。
【請求項２６】
前記ステップ２）は、サブステップ
ｃ）前記接着材料が接着剤であり、前記複数のレンズのうち隣接するレンズを鏡筒に嵌め込んだ後、前記鏡筒の内側に設けられている分流チャネルを通して接着剤を配置することで、前記接着剤が分流チャネルに沿って隣接するレンズの構造領域間のギャップに入るようにすることを含む、ことを特徴とする、請求項２３に記載のレンズ群組立方法。
【請求項２７】
前記ステップａ）において、前記接着材料が接着剤であり、前記ステップａ）はさらに、前記前のレンズを嵌め込んだ後、前記前のレンズの構造領域の表面には、光軸に垂直な方向に沿って外から内に凹む凹み部を有するガスケットを配置し、凹み部の位置に対応する前記前のレンズの表面の領域が露出しており；そして、前記凹み部の位置に対応する前記前のレンズの表面の領域に前記接着剤を配置し；最後に前記後のレンズを嵌め込むことを含む、ことを特徴とする、請求項２４に記載のレンズ群組立方法。
【請求項２８】
前記ステップａ）において、前記接着材料は接着フィルムであり、前記接着フィルムはダイアフラムを形成する、ことを特徴とする、請求項２４に記載のレンズ群組立方法。
【発明の詳細な説明】
【技術分野】
【０００１】
〈関連出願の相互参照>
本出願は、２０１８年８月１４日に中国国家知識産権局（ＣＮＩＰＡ）に提出された、出願番号２０１８１０９２２６９６．１、発明名称が「レンズ群アセンブリ、光学レンズ、撮像モジュール、及びレンズ群組立方法」の中国発明特許出願、及び２０１８年８月１４日にＣＮＩＰＡに提出した、出願番号２０１８２１３０５５７４．Ｘ、発明名称が「レンズ群アセンブリ、光学レンズおよび撮像モジュール」の中国実用新案特許出願の優先権と権利を享有することを主張する。これらの２つの出願は、その全体が参照により本出願に取り込まれる。
【０００２】
本発明は光学結像技術分野に関するものである。具体的には、本発明は、レンズ群アセンブリ。光学レンズ、撮像モジュールおよびレンズ群組立方法に関するものである。
【背景技術】
【０００３】
携帯電話やコンピューターなどの端末の発展により、ユーザーの様々なニーズは大幅に向上している。特に携帯電話の発展につれて、撮影品質に対するユーザーの追求により、メーカーは、大口径、大広角、収差を解決するために現れた数の多いレンズを備えたレンズなど、パーソナライズされ、カスタマイズされた撮像モジュールを開発した。光学設計がますます複雑になっている一方、複雑な光学系は敏感であるため、製造歩留まりや製品の品質に大きいチャレンジを作った。大口径・大広角の撮像モジュールの光学系は敏感であるため、その製造工程や検証工程の信頼性が従来の設計よりも脆い。よって、より構造の良いレンズが求められている。
【０００４】
一方、ますます広範な市場の需要を満たすために、高ピクセル、小サイズ、及び大口径は、既存の撮像モジュールの不可逆的な開発トレンドである。しかしながら、同じ撮像モジュールで高ピクセル、小サイズ、及び大口径の３つの要件を達成することは非常に困難である。例えば、携帯電話のコンパクト化（小型化）と携帯電話のボディに対するスクリーンの比率（Screen-To-Body Ratio）の増加により、プロント撮像モジュールに使用可能な携帯電話内部のスペースはますます小さくなっており、市場は撮像モジュールの結像質に対する要求もますます高くなっている。
【０００５】
コンパクト撮像モジュール（例えば、携帯電話で使用される撮像モジュール）の分野では、光学結像レンズの品質およびモジュールのパッケージングプロセスでの製造エラーを考慮する必要がある。具体的には、光学結像レンズの製造工程において、レンズの解像度に影響を与える要因は、各素子とその組立のエラー、レンズスペーサ要素間隔素子の厚さのエラー、各レンズの組立のエラー、及びレンズ材料の屈折率の変化などに起因する。レンズの解像度に影響を与える要因は多くて複数の素子に存在するため、各要因の制御には製造精度の限界がある。単に各素子の精度を向上させるだけでは、向上能力が制限され、向上のコストが高く、市場の高まる結像品質への要求に応えることができない。
【０００６】
本出願者は、アクティブキャリブレーションプロセスに基づいて上下のサブレンズの相対位置を調整および確定し、そして、確定した相対位置に従って上下のサブレンズを接着し、これによって完全な光学レンズまたは撮像モジュールの組立方法を提出している。この解決案は、大量生産された光学レンズまたは撮像モジュールの工程能力指数（ＣＰＫ）を改善でき、材料（例えば、光学レンズまたは撮像モジュールを組み立てるためのサブレンズまたは感光アセンブリ）の各素子の精度およびその組立精度に対する要求を低くし、さらに光学結像レンズおよび撮像モジュールの全体的なコストを削減することができる。また、組み立てる過程において、撮像モジュールの各収差をリアルタイムで調整できるため、不良率を低下させ、製造コストを削減し、結像品質を向上させることができる。
【０００７】
しかしながら、レンズの光学系自身に対するアクティブキャリブレーションは新しい製造プロセスであり、実際の大量生産では、光学レンズと撮像モジュールの信頼性、耐衝撃性、耐候性、及び製造コストなどの多くの要因を考慮する必要があり、予測できない様々な要因による歩留まりの低下に直面する必要がある場合もある。アクティブキャリブレーシンプロセスに基づいて製造された光学レンズの構造信頼性を改善することは、このような光学レンズの結像品質と歩留まりを向上させる重要な思考の方向の１つであると出願人は考えている。したがって、アクティブキャリブレーシンプロセスに基づいて製造された光学レンズの構造信頼性を改善できる解決案が緊急に必要とされている。
【発明の概要】
【０００８】
本出願は、従来技術の少なくとも１つの欠陥を克服できる解決案を提供することを目的としている。
【０００９】
本発明の一態様によれば、鏡筒と、レンズ群を組み立てるように前記鏡筒に嵌め込まれた複数のレンズとを含み前記複数のレンズのうちの少なくとも２つのレンズ間、および／または前記複数のレンズの少なくとも１つのレンズと前記鏡筒との間には、組み立てられる前記レンズ群の構造強度を補強するための接着材料がある、レンズ群アセンブリが提供される。
【００１０】
なお、前記複数のレンズは、前端にある３つのレンズを含み、前端にある前記３つのレンズのうちの少なくとも２つのレンズ間、および／または前端にある前記３つのレンズのうちの少なくとも１つのレンズと前記鏡筒との間には、前記接着材料がある。
【００１１】
なお、前記レンズは、光学領域と、前記光学領域を囲む構造領域とを有し、前記複数のレンズは、隣接する２つの接着補強レンズを含み、前記隣接する２つの接着補強レンズの前記構造領域間には前記接着材料がある。
【００１２】
なお、前記レンズは、光学領域と、前記光学領域を囲む構造領域とを有し、前記複数のレンズは、隣接する第１の嵌合レンズと第２の嵌合レンズとを含み、前記第１の嵌合レンズの構造領域が第１の嵌合突出部を有し、前記第２の嵌合レンズの構造領域が第２の嵌合突出部を有し、前記第１の嵌合突出部と第２の嵌合突出部が互いにずらされ、前記第１の嵌合突出部の内側面と前記第２の嵌合突出部の外側面との間に形成される嵌合ギャップに前記接着材料が配置される。
【００１３】
なお、前記接着材料が接着剤および／または接着フィルムを含む。
【００１４】
なお、前記接着材料が接着剤である場合、前記接着剤は、チクソトロピー係数が１．２以内、粘度が５００以下の接着剤である。
【００１５】
なお、前記接着材料が接着剤である場合、前記複数のレンズは、隣接する２つの接着補強レンズを含み、前記隣接する２つの接着補強レンズの間には、前記接着剤を収容する切欠きを有するガスケットがある。
【００１６】
なお、前記接着材料が接着フィルムである場合、前記複数のレンズは、前記接着フィルムで接着される隣接する２つの接着補強レンズを含む。
【００１７】
なお、前記複数のレンズは、嵌め込み補強レンズを含み、前記嵌め込み補強レンズと前記鏡筒との間には前記接着材料がある。
【００１８】
なお、前記鏡筒の内側には、前記複数のレンズが順に嵌め込まれている複数の階段がある。
【００１９】
なお、前記複数の階段のそれぞれは、前記鏡筒の軸に平行する階段側壁と、前記鏡筒の軸に垂直な階段面とを含む。
【００２０】
なお、前記接着材料は接着剤であり、前記鏡筒の内側には、前記複数の階段のうちの少なくとも２つの隣接する階段の間に接着剤が流れるように前記少なくとも２つの隣接する階段を連通する分流チャネルがあり、前記分流チャネルが前記接着剤で充填されている。
【００２１】
なお、前記分流チャネルは分流溝であり、前記分流溝に対応する少なくとも１つの階段に嵌め込み補強レンズが設置され、前記嵌め込み補強レンズの外側面と前記分流溝との間のギャップは前記接着材料で充填されている。
【００２２】
なお、前記接着材料がリング状に配置されている、または、前記接着材料がリング状における複数の点に分布されている。
【００２３】
なお、前記接着材料が、ＵＶ接着剤、ＵＶ熱硬化性接着剤、熱硬化性接着剤、湿気硬化性接着剤、嫌気性接着剤、または溶媒揮発性硬化性接着剤である。
【００２４】
本発明のもう一態様によれば、少なくとも１つの第１のレンズを含む第１のレンズ部材；第２の鏡筒と、前記第２の鏡筒内に取り付けられる、前記少なくとも１つの第１のレンズと一緒に結像可能な光学系を構成する少なくとも１つの第２のレンズと、を含む第２のレンズ部材；および、前記第１のレンズ部材と前記第２のレンズ部材の間に位置し、前記第１のレンズ部材と前記第２のレンズ部材の相対位置をアクティブキャリブレーションによって決められた相対位置に保つように前記第１のレンズ部材と前記第２のレンズ部材を支持するのに適しているアクティブキャリブレーション接着剤を含む光学レンズが提供され、前記第２のレンズ部材は、上記に記載のレンズ群アセンブリであり、前記第２の鏡筒は前記レンズ群アセンブリの前記鏡筒であり、前記少なくとも１つの第２のレンズは前記レンズ群アセンブリの前記複数のレンズである。
【００２５】
なお、前記第１のレンズ部材がさらに第１の鏡筒を含み、前記少なくとも１つの第１のレンズが前記第１の鏡筒内に取り付けられている。
【００２６】
なお、前記第１のレンズ部材は前記レンズ群アセンブリであり、前記第１の鏡筒は前記レンズ群アセンブリの前記鏡筒であり、前記少なくとも１つの第１のレンズは前記レンズ群アセンブリの前記複数のレンズである。
【００２７】
なお、前記第１のレンズ部材は前記光学レンズの前端にある。
【００２８】
なお、前記第１のレンズ部材の軸と前記第２のレンズ部材の軸との間の夾角はゼロではない。
【００２９】
本発明のもう一態様によれば、上記に記載のレンズ群アセンブリを含む撮像モジュールが提供されている。
【００３０】
本発明のもう一態様によれば、上記に記載の光学レンズを含む別の撮像モジュールが提供されている。
【００３１】
本発明のもう一態様によれば、１）レンズ群を組み立てるように、内側に複数の階段を有する鏡筒に複数のレンズを順に嵌め込むことと、２）ステップ１）の実行中またはステップ１）の完了後に、組み立てられる前記レンズ群の構造強度を補強するように、前記複数のレンズのうちの少なくとも２つのレンズ間、及び／または前記複数のレンズの少なくとも１つのレンズと前記鏡筒との間に接着材料を添加することとを含む、レンズ群組立方法が提供されている。
【００３２】
なお、前記ステップ２）は、サブステップ：ａ）前記複数のレンズのうち隣接する２つのレンズについては、前のレンズを嵌め込んだ後、前記前のレンズの構造領域の表面に接着材料を配置してから、後のレンズを嵌め込むことを含む。
【００３３】
なお、前記ステップ２）は、サブステップ：ｂ）前記複数のレンズのうち隣接する２つのレンズについては、前のレンズを嵌め込んだ後、前のレンズと前記鏡筒との間に接着材料を配置してから、後のレンズを嵌め込むことを含む。
【００３４】
なお、前記ステップ２）は、サブステップ：ｃ）前記接着材料が接着剤であり、前記複数のレンズのうち隣接するレンズを鏡筒に嵌め込んだ後、前記鏡筒の内側に設けられている分流チャネルを通して接着剤を配置することで、前記接着剤が分流チャネルに沿って隣接するレンズの構造領域間のギャップに入るようにすることを含む。
【００３５】
なお、前記ステップａ）において、前記接着材料が接着剤であり、前記ステップａ）はさらに、前記前のレンズを嵌め込んだ後、前記前のレンズの構造領域の表面には、光軸に垂直な方向に沿って外から内に凹む凹み部を有するガスケットを配置し、前記凹み部の位置に対応する前記前のレンズの表面の領域が露出しており；そして、前記凹み部の位置に対応する前記前のレンズの表面の領域に前記接着剤を配置し；最後に前記後のレンズを嵌め込むことを含む。
【００３６】
なお、前記ステップａ）において、前記接着材料は接着フィルムであり、前記接着フィルムはダイアフラムを形成する。
【００３７】
従来技術と比べて、本発明は、以下の技術的効果の少なくとも１つを有する：
１、本発明は、レンズ間の接着を増加させることにより（例えば、接着剤／接着剤フィルムによる補強）、高感度マルチレンズ光学系の組立精度および組立安定性を改善することができる。
２、本発明は、レンズ群の接続強度を増加させることにより、アクティブキャリブレーシンプロセスに基づいた光学レンズの変動を低減することができる。
３、本発明は、レンズの暗い物体（例えば、鏡筒）の側壁に所定ギャップおよびガスケットのギャップなどの構造設計を設けることにより、元々オーバーフローする可能性のある接着材料を収容すると共に、レンズと暗い物体との間、及びレンズとレンズとの間の接続強度を高めることができる。
【００３８】
本発明は、レンズ群の接着強度の増強により、アクティブキャリブレーションプロセスに基づく光学レンズの組立によって引き起こされる不良を低減することができ、特に像面湾曲とピーク変動を減らすことができる。 
【図面の簡単な説明】
【００３９】
例示的な実施形態は、参照図面に示されている。本明細書に開示された実施形態および図面は、限定的ではなく例示的であるものと見なされるべきである。
【００４０】
【図１】図１は、本発明の一実施形態の光学レンズ１０００の断面模式図である。
【図２】図２は、本発明の一実施形態において第１のレンズを鏡筒に嵌め込むことを示す図である。
【図３】図３は、レンズの底面にガスケット２１４を設けることを示す図である。
【図４】図４は、設けられたガスケット２１４の底面模式図である。
【図５】図５は、第２のレンズを鏡筒に嵌め込むことを示す図である。
【図６】図６は、内側面に分流チャネルを備えた鏡筒、及び当該鏡筒にレンズが嵌め込まれていることを示す図である。
【図７】図７は、本発明の一実施形態における鏡筒に位置する分流チャネルの底面模式図である。
【図８】図８は、本発明の別の実施形態の光学レンズの断面模式図である。
【図９】図９は、嵌め込み補強レンズと鏡筒との間の接着補強の別の例を示す図である。
【図１０】図１０は、図９に示される接着剤収容溝２１３を備えた完全なレンズ群アセンブリを示す図である。
【図１１】図１１は、隣接する第１の嵌合レンズ１０と第２の嵌合レンズ２０を備えた光学レンズを示す図である。
【図１２Ａ】図１２Ａは、本発明の一実施形態のアクティブキャリブレーシンにおける相対位置の調整方法を示す図である。
【図１２Ｂ】図１２Ｂは、本発明の一実施形態のアクティブキャリブレーションにおける相対位置の調整方法を示すである。
【図１２Ｃ】図１２Ｃは、本発明の別の実施形態のアクティブキャリブレーシンにおいてｖ、ｗ方向調整が追加された相対位置の調整方法を示す図である。
【発明を実施するための形態】
【００４１】
本願をよりよく理解するために、本願の各方面について図面を参照してより詳しく説明する。これらの詳細な説明は、本願の例示的な実施形態についての説明に過ぎず、決して本願の範囲を限定するためのものではないことを理解されたい。明細書を通して、同じ図面符号は同じ要素を指す。「および／または」という表現は、リストされた関連する項目の１つ又は複数の何れか及びあらゆる組み合わせを含む。
【００４２】
なお、本明細書では、第１、第２などの表現は、ある特徴を別の特徴と区別するためにのみ使用され、特徴に対するいかなる限定も表すものではない。したがって、本願の教示から逸脱しない限り、以下で論じられる第１の本体は、第２の本体と呼ばれることもできる。
【００４３】
図面では、説明の便宜のため、物体の厚さ、寸法、及び形状がわずかに誇張されている。図面は単なる例示的なものに過ぎず、厳格的に縮尺で描かれたものではない。
【００４４】
また、「備える」、「からなる」、「有する／存在している／ある」、「含む」および／または「含んでなる」という用語は、本明細書で使用される場合、述べられた特徴、全体、ステップ、操作、素子および／または部品が存在することを表すが、１つ以上の他の特徴、全体、ステップ、操作、素子、部品および／またはこれらの組み合わせの存在または追加を除外しない。さらに、列された特徴のリストの後に「‥‥‥から選択される少なくとも１つ」などの表現が現れる場合、この表現は、リストの中の個々の要素を修飾するのではなく、リストされたすべての特徴を修飾する。また、本願の実施形態を説明する時、「できる／てもよい」のような表現で「本願の１つ以上の実施形態」を修飾する。また、「例示的」という用語は、例示する、または例を挙げて説明することを表す。
【００４５】
本文で使用される「実質的に」、「約」、及び類似の用語は、程度を表す用語としてではなく、近似を表す用語として使用され、当業者によって認識される、測定値または計算値の固有偏差を説明することを意図している。
【００４６】
別途限定されない限り、本文で使用されるすべての用語（技術用語と科学用語を含む）は、本願が属する技術分野の当業者によって一般に理解されるのと同じ意味を有する。また、用語（例えば、常用の辞書で定義されている用語）は、関連技術のコンテキストでの意味に一致する意味を持つものとして解釈すべきであり、理想的または過度に正式な意味で解釈されないことも理解されたい。ただし、本文ではこのように明確に限定された場合は除外である。
【００４７】
なお、本願における実施形態および実施形態における特徴とは、矛盾しない限り互いに組み合わせることができる。以下、図面を参照して実施形態を組み合わせて本願を詳しく説明する。
【００４８】
図１は、本発明の一実施形態の光学レンズ１０００の断面模式図を示している。図１に示すように、本実施形態の光学レンズ１０００は、第１のレンズ部材１００、第２のレンズ部材２００、および第１と第２のレンズ部材２００を接着するための接着剤３００を備える。接着剤３００は、第１のレンズ部材と第２のレンズ部材の相対位置をアクティブキャリブレーションによって決められた相対位置に保つように、硬化後に第１のレンズ部材と第２のレンズ部材を支持するのに適しているので、その他の接着材料と区別付けるように接着剤３００をアクティブキャリブレーシン接着剤と称することができる。ここでいうその他の接着材料は、例えば、後文に言及されるレンズ群の構造を補強するための接着材料２１５であってもよい。本明細書において、アクティブキャリブレーシンは、感光性チップの結像結果に基づいて第１のレンズ部材１００と第２のレンズ部材２００の相対位置を複数の自由度で較正する製造プロセスである。アクティブキャリブレーシンの具体的な方法について、後文でさらに詳しく説明するので、ここでは詳述しない。本実施形態において、第１のレンズ部材１００は、第１の鏡筒と、第１の鏡筒１１０に取り付けられた第１のレンズ（本実施形態では、第１のレンズ１２０の数は１つであるが、本発明はこれに限定されず、第１のレンズ１２０が複数あってもよいことに注意されたい）とを備える。第２のレンズ部材２００は、第２の鏡筒２１０と、第２の鏡筒に取り付けられた複数の第２のレンズ２２０とを備える。前記第１のレンズ１２０と複数の第２のレンズ２２０は一緒に結像可能な光学系を構成する。本実施形態では、第２のレンズ部材２００は、レンズ間の接続強度を増加させるレンズ群アセンブリである。具体的に、本実施形態では、レンズ群を組み立てるように複数の第２のレンズ２２０は前記鏡筒に嵌め込まれ、しかも組み立てられる前記レンズ群の構造強度を補強するために、一番下の２つの隣接する第２のレンズ２２０の間に接着材料２１５がある。図１に示されているのは、レンズ群の構造強度を補強する方式の１つに過ぎないことに注意されたい。本発明のその他の実施形態では、組み立てられる前記レンズ群の構造強度を補強するために、他の方式で前記複数の第２のレンズ２２０のうちの少なくとも２つのレンズ間に接着材料を設けてもよい。また、組み立てられる前記レンズ群の構造強度を補強するために、前記複数の第２のレンズ２２０のうちの少なくとも１つのレンズと前記鏡筒との間に接着材料２１５を設けてもよい。さらに、組み立てられる前記レンズ群の構造強度を補強するために、前記複数の第２のレンズ２２０のうちの少なくとも２つのレンズ間、及び前記複数の第２のレンズ２２０のうちの少なくとも１つのレンズと前記鏡筒との間に接着材料２１５を設けてもよい。複数のレンズについて、それらを同一の鏡筒に嵌め込んでレンズ群を組み立て、接着材料２１５を利用してレンズ組立時のレンズ間の接続強度を増加させることは、高感度光学系における組立精度と組立安定性を高めることができる。一実施形態では、前記第１のレンズ部材１００は光学レンズ１０００の前端にあり、すなわち、対象物に近い端にあり、前記第２のレンズ部材２００は光学レンズ１０００の後端にある。
【００４９】
さらに、図１を引き続き参照すると、本発明の一実施形態では、レンズは、光学領域と、前記光学領域を囲む構造領域とを有する。レンズは、第１のレンズ１２０または第２のレンズ２２０を含む。レンズ群アセンブリにおいて、前記複数のレンズは、隣接する２つの接着補強レンズを含み、前記隣接する２つの接着補強レンズの前記構造領域間には接着材料２１５がある。
【００５０】
さらに、本発明の一実施形態では、第２の鏡筒２１０の内側には、複数の階段２１１があってもよい。図２は、本発明の一実施形態において第１のレンズを鏡筒に嵌め込むことを示す図である。図２を参照すると、前記鏡筒（例えば、第２の鏡筒２１０）の内側には複数の階段２１１があり、前記複数のレンズが順に前記複数の階段２１１に嵌め込まれている。前記複数の階段２１１のそれぞれは、前記鏡筒の軸に平行する階段側壁２１１ａと、前記鏡筒の軸に垂直な階段面２１１ｂとを含む。
【００５１】
さらに、本発明の一実施形態では、前記レンズ群アセンブリは、隣接する２つの接着補強レンズを含み、前記隣接する２つの接着補強レンズの間にはガスケット２１４があり、前記ガスケット２１４は、接着剤２１５ａを収容する切欠きを有してもよい。図２を参照すると、前記第１のレンズは鏡筒の１番目の階段に嵌め込まれている。当該レンズの構造領域の外側面は、前記１番目の階段の階段側壁２１１ａに寄りかかり、その構造領域の上面は（複数のレンズをレンズ群に組み立てる場合、鏡筒とレンズは通常反転されるので、図２の構造領域の上面はレンズの底部に位置する）。本実施形態では、レンズの構造領域の底面は突出部を有してもよい（図２では、レンズは反転されているので、前記突出部は上向きに突出している）。さらに、図３は、レンズの底面にガスケット２１４を設けることを示す図である。図４は、設けられたガスケット２１４の底面模式図である。図４を参照すると、ガスケット２１４は、外から内に凹む凹み部２１４ａであってもよい切欠きを有する。ガスケット２１４がレンズの底面に配置されると、溝と第１のレンズの構造領域との間にギャップを形成することができ、このギャップは接着材料２１５を収容することができる。他の実施形態では、接着材料２１５を収容するギャップはまた、該溝と鏡筒（例えば、鏡筒の階段側壁２１１ａ）との間に形成してもよい。接着材料２１５は前記ギャップに配置されている。本実施形態では、接着材料２１５は接着剤２１５ａであってもよい。さらに、図５は、第２のレンズを鏡筒に嵌め込むことを示す図である。ここで、第２のレンズと第１のレンズは前記ガスケット２１４を介して互いに寄りかかって、安定した光学性能を有する複合体を形成することができる。図５を参照すると、接着材料は２つのレンズ間にあり、これらの２つのレンズからなる複合体の構造強度を補強する。図５の２つのレンズはすなわち、接着補強レンズである。１つのレンズ群アセンブリには、複数のグループの隣接する接着補強レンズが存在してもよい。
【００５２】
さらに、一実施形態では、ＳＯＭＡシートは、レンズ間の嵌合によって固定することができ、または力を受けない方式でその中に入れてもよい。特に、ＳＯＭＡシートは、切欠きのある形状に設計され、ＳＯＭＡシートの切欠きは、マシンビジョンによる識別の目印（ここではマシンビジョンは接着剤塗布の始点を識別するために使用される）として使用できるとともに、接着剤２１５ａを収容するスペースとしても使用できる。
【００５３】
さらに、本発明の一実施形態では、鏡筒の内側面には分流チャネルがある。図６は、内側面に分流チャネルを備えた鏡筒、及び当該鏡筒にレンズが嵌め込まれていることを示す図である。図６を参照すると、前記分流チャネルは、前記少なくとも２つの隣接する階段の間に接着剤２１５ａが流れるように前記鏡筒の前記複数の階段２１１のうちの少なくとも２つの隣接する階段を連通する。前記分流チャネルが接着剤２１５ａで充填されている。図７は、本発明の一実施形態における鏡筒に位置する分流チャネルの底面模式図である。図７を参照すると、前記分流チャネルは、鏡筒の内側面に位置する凹み構造である分流溝２１２であってもよい。組み立てられるレンズ群の構造を補強するように、前記分流溝２１２とレンズの外側面との間のギャップは接着剤２１５ａで充填されていてもよい。本実施形態では、接着材料２１５が、ＵＶ接着剤／ＵＶ熱硬化性接着剤、熱硬化性接着剤、湿気硬化性接着剤、嫌気性接着剤、または溶媒揮発性硬化性接着剤であってもよい。接着剤が配置される領域は、レンズの光学領域から離れたレンズのエッジ領域である。本実施形態では、接着材料２１５は、比較的小さい粘度を有し、例えば、粘度が５００以下である。粘度は、接着剤２１５ａの希釈度を表し、粘度が小さければ小さいほど、流動性が良い。接着剤２１５ａのチクソトロピー係数が１．２以内である。チクソトロピー係数はチクソトロピー性を表す。チクソトロピー性とは、一定のせん断速度の下で、接着剤２１５ａ（または接着剤液と呼ばれる）のせん断応力が時間の経つにつれて減少する特性をいう。チクソトロピー係数が１．２以内の接着剤は接着プロセスにおいて、具体的には、撹拌されると、接着剤液の粘度が急速に低下し、塗るのに便利である；撹拌が停止すると、接着剤液の粘度がすぐに上昇してランダムに流れず、使用時の粘度が比較的に薄く、こすり塗るのに便利であることを示している。
【００５４】
一実施形態では、接着材料２１５はアンダーフィル接着剤であってもよい。アンダーフィル接着剤は、アンダーフィルプロセスに適した接着剤２１５ａであり、そのチキソトロピー係数は１．２以内である。
【００５５】
さらに、一実施形態では、前記鏡筒の内側の分流溝２１２の凹み深さは２０μｍより大きく、分流溝２１２の幅は２０μｍより大きい（分流溝の具体的な設計サイズは、レンズのサイズおよび接着材料の特性によって決めることができる）。接着剤２１５ａは分流チャネルを通って流れて隣接するレンズを接着し、レンズと鏡筒を接着し、それにより、組み立てられたレンズ群の接続強度を高める。
【００５６】
図８は、本発明の別の実施形態の光学レンズの断面模式図である。本実施形態では、レンズ間のガスケット２１４を接着フィルム２１５ｂ（例えば、ＥＶＡ接着フィルム）に変更した。言い換えれば、ガスケット２１４の機能を果たすために接着フィルム２１５ｂをガスケット２１４の形状に作成することができる。例えば、接着フィルム２１５ｂを不透明にする（例えば、黒色にする）と、接着フィルム２１５ｂは光を遮断する機能を有するようになり、レンズ間にダイアフラムを形成して、結像結果への迷光の干渉を抑制することができる。一方、接着フィルム２１５ｂは粘着性を有するので、レンズの組立時に、接着フィルム２１５ｂは隣接するレンズによって押された後にレンズを接着する機能を果たし、レンズの組立の構造強度を補強する。
【００５７】
さらに、本発明の一実施形態では、前記レンズ群に組み立てられた複数のレンズは、嵌め込み補強レンズを備え、前記嵌め込み補強レンズと鏡筒との間には前記接着材料２１５がある．図２を参照すると、一例では、嵌め込み補強レンズの外側面は傾斜面２２１（または傾斜セグメントと呼ばれる）を含んでもよく、当該傾斜面２２１は、鏡筒の内側面（例えば、階段側壁２１１ａ）とくさび形のギャップを形成でき、接着剤２１５ａは、該くさび形のギャップに配置することができ、それによってレンズ群の構造強度を補強する。図９は、嵌め込み補強レンズと鏡筒との間の接着補強の別の例を示す図である。図９を参照すると、別の例では、嵌め込み補強レンズの構造領域は、突出部を含んでもよく、この突出部の外側面と鏡筒の内側面は、接着剤収容溝２１３を形成することができる。具体的には、図９において、突出部の外側面と鏡筒の階段面２１１ｂおよび階段側壁２１１ａと一緒に前記接着剤収容溝２１３を構成している。接着剤はこの接着剤収容溝２１３内に配置される。さらに、図１０は、図９に示される接着剤収容溝２１３を備えた完全なレンズ群アセンブリを示す図である。このレンズ群アセンブリは、第２のレンズ部材２００として使用することができる。例えば、図１０に示されるレンズ群アセンブリは、図１の実施形態における第２のレンズ部材２００を置き換えて、アクティブキャリブレーシンプロセスに基づいて組み立てられる別の光学レンズ１０００を構成することができる。
【００５８】
さらに、上記の実施形態では、接着材料２１５は、リング状に配置してもよく（例えば、分流溝２１２または接着剤収容溝２１３は、上面図において環状を呈することができる）、リング形状領域の複数の点に分布されていてもよい（例えば、分流溝２１２または接着剤収容溝２１３を、鏡筒の内側の４つの方向のそれぞれに一つずつ設けることができる）。
【００５９】
さらに、本発明の一実施形態では、前記レンズ群に組み立てられた複数のレンズは、隣接する第１の嵌合レンズ１０と第２の嵌合レンズ２０とを含む。図１１は、隣接する第１の嵌合レンズ１０と第２の嵌合レンズ２０を備えた光学レンズを示す図である。図１１を参照すると、前記第１の嵌合レンズ１０の前記構造領域が第１の嵌合突出部１１を有し、前記第２の嵌合レンズ２０の前記構造領域が第２の嵌合突出部２１を有し、前記第１の嵌合突出部１１と前記第２の嵌合突出部２１が互いにずらされ、前記第１の嵌合突出部１１の内側面と前記第２の嵌合突出部２１の外側面との間に形成される嵌合ギャップに前記接着材料２１５が配置される。
【００６０】
さらに、本発明の一実施形態では、前記レンズ群の前端にある３つのレンズの構造領域の間には、組み立てられた前記レンズ群の構造強度を補強するために前記接着材料が接着されている。別の実施形態では、前端にある３つのレンズのうちのいずれか１つまたは複数が、レンズ群の構造強度を補強するように鏡筒と接着することができる。さらに、上記の前端にある３つのレンズについて、補強効果を高めるために、レンズ間、及びレンズと鏡筒との間に接着材料を配置することができる。レンズ群のレンズ数が多い場合、例えば、４つ以上の場合、前の３つのレンズの光感度が比較的に高いため、前の３つのレンズの組立構造の強度を補強すると、アクティブキャリブレーシンプロセスおよび光学レンズ製品の信頼性をよりよく高めることができる。本明細書では、前端とは、対象物に近いレンズ群または光学レンズの端を指す。
【００６１】
さらに、本発明の一実施形態によれば、
１）レンズ群を組み立てるように、内側に複数の階段２１１を有する鏡筒に複数のレンズを順に嵌め込むことと、
２）前記ステップ１）の実行中または前記嵌め込むステップの完了後に、組み立てられる前記レンズ群の構造強度を補強するように、複数のレンズのうちの少なくとも２つのレンズ間、及び／または前記複数のレンズの少なくとも１つのレンズと前記鏡筒との間に接着材料２１５を添加することと
を含む、レンズ群の組立方法が提供される。
【００６２】
ここで、ステップ１）の、複数のレンズを順に鏡筒に嵌め込むプロセスは下記のことを含む。すなわち、鏡筒を逆さまにして、第１のレンズを鏡筒の内側の１番目の階段に嵌め込み、次に第２のレンズを鏡筒の内側の２番目の階段に嵌め込み、さらに次のレンズを次の階段に嵌め込み、すべてのレンズを鏡筒に嵌め込むまでこのように繰り返す。隣接する２つのレンズの構造領域は、互いに直接に寄りかかってもよく、ガスケット２１４（例えば、ＳＯＭＡシート）を介して互いに寄りかかってもよい。隣接する２つのレンズの構造領域はガスケット２１４を介して互いに寄りかかった場合、２つのレンズの嵌め込みプロセスは、ガスケット２１４を配置するステップに追加される。例えば、前のレンズを鏡筒内に嵌め込んだ後、前のレンズの構造領域の表面にガスケット２１４を配置し、そして次のレンズを鏡筒内に嵌め込む。
【００６３】
さらに、本発明の一部の実施形態では、前記ステップ２）は、サブステップａ）、ｂ）、及びｃ）のいずれか１つまたは複数を含み、前記サブステップａ）、ｂ）、及びｃ）は次の通りである。
【００６４】
ａ）隣接する２つのレンズについては、これら２つのレンズを鏡筒に嵌め込む過程において、接着材料２１５を前記の２つのレンズ間に配置する。すなわち、隣接する２つのレンズについて、前のレンズを嵌め込んだ後、そのレンズ（前のレンズを指す）の構造領域の表面（嵌め込むステップでは、鏡筒とレンズは通常反転しているため、ここの表面は通常底面である）に接着材料２１５を配置する。そして、後のレンズを嵌め込む。
【００６５】
一例では、該接着材料２１５は、接着剤２１５ａであってもよい。好ましくは、接着剤２１５ａによる光学領域の汚染を避けるために、この接着剤２１５ａを、ガスケット２１４とレンズ（前のレンズを指す）との間に形成された溝に配置してもよい。ガスケット２１４は、図４に示される凹み部２１４ａを有してもよく、該凹み部２１４ａとレンズとの間に溝が形成される。接着剤２１５ａの配置方法は、前記の前のレンズを嵌め込んだ後、前記の前のレンズの構造領域の表面には、光軸に垂直な方向に沿って外から内に凹む凹み部２１４ａを有するガスケットを配置し、凹み部２１４ａの位置に対応する前記前のレンズの表面の領域が露出しており；そして、凹み部２１４ａの位置に対応する前記領域に前記接着剤２１５ａを配置し；最後に前記の後のレンズを嵌め込むことを含んでもよい。
【００６６】
別の例では、前記接着材料は、接着フィルム２１５ｂであってもよい。ガスケット２１４の機能の代わりとして接着フィルム２１５ｂをガスケット２１４の形状に作成することができる。例えば、接着フィルム２１５ｂを不透明にする（例えば、黒色にする）と、接着フィルム２１５ｂは光を遮断する機能を有するようになり、レンズ間にダイアフラムを形成して、結像結果への迷光の干渉を抑制することができる。一方、接着フィルム２１５ｂは粘着性を有するので、レンズの組立時に、接着フィルム２１５ｂは隣接するレンズによって押された後にレンズを接着する機能を果たし、レンズの組立の構造強度を補強する。
【００６７】
また別の例では、前記レンズ群に組み立てられる複数のレンズは、図１１に示される隣接する第１の嵌合レンズ１０と第２の嵌合レンズ２０とを含む。前記第１の嵌合レンズ１０の前記構造領域が第１の嵌合突出部１１を有し、前記第２の嵌合レンズ２０の前記構造領域が第２の嵌合突出部２１を有する。第１の嵌合レンズ１０（すなわち、前のレンズ）を嵌め込んだ後、第１の嵌合突出部１１の内側面に近い該第１の嵌合レンズ１０の構造領域の表面の位置に接着剤２１５ａを配置する。そして、第２の嵌合レンズ２０を鏡筒内に嵌め込み、前記第１の嵌合突出部１１と前記第２の嵌合突出部２１が互いにずらされ、これによって、前記第１の嵌合突出部１１の内側面と前記第２の嵌合突出部２１の外側面との間に形成される嵌合ギャップに前記接着剤２１５ａが配置される。
【００６８】
ｂ）隣接する２つのレンズについては、前のレンズを嵌め込んだ後、そのレンズ（前のレンズを指す）と鏡筒との間に接着剤２１５ａを配置してから、後のレンズを嵌め込む。説明の便宜で、本明細書では、接着剤２１５ａを介して鏡筒に接着されるレンズは、嵌め込み補強レンズと呼ばれることがある。
【００６９】
図２に示すように、一例では、嵌め込み補強レンズの外側面は傾斜面（または傾斜セグメントと呼ばれる）を含んでもよく、該傾斜面は、鏡筒の内側面（例えば、階段側壁２１１ａ）とくさび形のギャップを形成でき、接着剤２１５ａは、くさび形のギャップに配置されることができ、それによってレンズ群の構造強度を補強する。図９は、嵌め込み補強レンズと鏡筒との間の接着補強の別の例を示す図である。図９を参照すると、別の例では、嵌め込み補強レンズの構造領域は、突出部を含んでもよく、この突出部の外側面と鏡筒の内側面は、接着剤収容溝２１３を形成することができる。具体的には、図９において、突出部の外側面と鏡筒の階段面２１１ｂおよび階段側壁２１１ａと一緒に前記接着剤収容溝２１３を構成している。接着剤２１５ａはこの接着剤収容溝２１３内に配置される。
【００７０】
ｃ）隣接する２つ（または２つ以上）のレンズを鏡筒に嵌め込んだ後、鏡筒の内側面に設けられている分流チャネルを通して接着剤２１５ａを配置することで、接着剤２１５ａが分流チャネルに沿って隣接する２つ（または２つ以上）のレンズの構造領域間のギャップに入るようにする。
【００７１】
図６を参照すると、前記分流チャネルは、少なくとも２つの隣接する階段の間に接着剤２１５ａが流れるように前記鏡筒の前記複数の階段２１１のうちの少なくとも２つの隣接する階段を連通する。図７を参照すると、前記分流チャネルは、鏡筒の内側面に位置する凹み構造である分流溝２１２であってもよい。組み立てられるレンズ群の構造を補強するように、前記分流溝２１２とレンズの外側面との間のギャップは接着剤２１５ａで充填されていてもよい。本実施形態では、接着材料２１５が、ＵＶ接着剤／ＵＶ熱硬化性接着剤、熱硬化性接着剤、湿気硬化性接着剤、嫌気性接着剤、または溶媒揮発性硬化性接着剤であってもよい。接着剤２１５ａが配置される領域は、レンズの光学領域から離れたレンズのエッジ領域である。本実施形態では、接着材料２１５は、比較的小さい粘度を有し、例えば、粘度が５００以下である。粘度は、接着剤２１５ａの希釈度を表し、粘度が小さければ小さいほど、流動性が良い。接着剤２１５ａのチクソトロピー係数が１．２以内である。チクソトロピー係数はチクソトロピー性を表す。チクソトロピー性とは、一定のせん断速度の下で、接着剤２１５ａ（または接着剤液と呼ばれる）のせん断応力が時間の経つにつれて減少する特性をいう。チクソトロピー係数が１．２以内の接着剤２１５ａは接着プロセスにおいて、具体的には、撹拌されると、接着剤液の粘度が急速に低下し、塗るのに便利である；撹拌が停止すると、接着剤液の粘度がすぐに上昇してランダムに流れず、使用時の粘度が比較的に薄く、こすり塗るのに便利である、ことを示している。本実施形態では、複数のレンズを鏡筒内に嵌め込んだ後に、前記分流チャネルを利用して接着剤２１５ａをレンズ間の位置に配置することができる。
【００７２】
上記のサブステップａ）、ｂ）、及びｃ）はそれぞれ、接着材料を使用してレンズ群を補強するいくつかの異なる方法に対応し、レンズ群の組立プロセスにおいて、これらの補強方法のうちの１つを単独で使用してもよく、上記の補強方法のうちの複数を組み合わせて使用してもよいことに注意されたい。
【００７３】
次は、光学レンズまたは撮像モジュールの組立方法で使用されるアクティブキャリブレーシンプロセスをさらに説明する。
【００７４】
本願に記載のアクティブキャリブレーシンは、第１のレンズ部材１００と第２のレンズ部材２００の相対位置を複数の自由度で調整することができる。図１２Ａは、本発明の一実施形態のアクティブキャリブレーシンにおける相対位置の調整方法を示す図である。この調節方法では、前記第１のレンズ部材１００（第１のレンズ１０１であってもよい）は、前記第２のレンズ部材２００に対して、ｘ、ｙ、及びｚ方向に沿って移動することができる（すなわち、この実施形態における相対位置の調整には３つの自由度がある）。ｚ方向は光軸に沿った方向であり、ｘおよびｙ方向は光軸に垂直な方向である。ｘおよびｙ方向はいずれも調整平面Ｐにあり、調整平面Ｐでの移動は、ｘ方向とｙ方向の２つの成分に分解できる。
【００７５】
図１２Ｂは、本発明の別の実施形態のアクティブキャリブレーションにおける回転調整を示すである。この実施形態では、相対位置の調整は、図１２Ａの３つの自由度に加えて、回転自由度、すなわち、ｒ方向の調整も追加された。本実施形態では、ｒ方向の調整は、前記調整平面Ｐでの回転、すなわち、前記調整平面Ｐに垂直な軸を中心とした回転である。
【００７６】
さらに、図１２Ｃは、本発明のまた別の実施形態のアクティブキャリブレーシンにおいてｖ、ｗ方向調整が追加された相対位置の調整方法を示す図である。ここで、ｖ方向はｘоｚ平面の回転角度を表し、ｗ方向はｙоｚ平面の回転角度を表し、ｖ方向とｗ方向の回転角度はベクトル角度を組み合わせることができ、このベクトル角度は、全体の傾斜状態を表す。言い換えれば、ｖ方向とｗ方向の調整により、第２のレンズ部材２００に対する第１のレンズ部材１００の傾斜姿勢（すなわち、前記第２のレンズ部材２００の光軸に対する前記第１のレンズ部材１００の光軸の傾斜）を調整することができる。
【００７７】
上記のｘ、ｙ、ｚ、ｒ、ｖ、及びｗの６つの自由度の調整はいずれも、前記光学系の結像品質に影響を与える可能性がある（例えば、解像度のサイズに影響を与える）。本発明の他の実施形態では、相対位置の調整方法は、上記の６つの自由度のうちのいずれか１つのみ、またはそのうちの任意の２つまたはその以上の組み合わせを調整することであってもよい。
【００７８】
さらに、一実施形態では、アクティブキャリブレーシンステップにおいて、第１のレンズ部材と第２のレンズ部材の相対位置の調整は、前記調整平面での平行移動、すなわち、ｘ方向とｙ方向の移動を含む。
【００７９】
さらに、一実施形態では、アクティブキャリブレーシンステップにおいて、第１のレンズ部材１００と第２のレンズ部材２００の相対位置の調整は、前記光学系の実測解像度に従って、前記第１のレンズ部材１００の軸と前記第２のレンズ部材２００の軸との間の角度の調整と決定、すなわち、ｗおよびｖ方向の調整、をさらに含む。組み立てられた光学レンズまたは撮像モジュールにおいて、前記第１のレンズ部材１００の軸と前記第２のレンズ部材２００の軸との間は、ゼロではない夾角を有してもよい。
【００８０】
さらに、一実施形態では、アクティブキャリブレーシンステップにおいて、第１のレンズ部材１００と第２のレンズ部材２００の相対位置の調整は、前記調整平面に垂直な方向に沿って前記第１のレンズ部材１００を移動させ（すなわち、ｚ方向の調整）、前記光学系の実測解像度に従って、前記調整平面に垂直な方向での、前記第１のレンズ部材１００と前記第２のレンズ部材２００との間の相対位置を確定することをさらに含む。
【００８１】
さらに、一実施形態では、前記第１のレンズ部材１００は、第１の鏡筒１１０を有しなくてもよい。例えば、第１のレンズ部材１００は、単一の第１のレンズ１２０で構成してもよい。アクティブキャリブレーシンの前に、所定の位置付けに対応して、前記第１のレンズ１２０の底面と前記第２のレンズ部材２００の上面との間にギャップを形成させ、次にアクティブキャリブレーシンを実行し、そして前記接着材料を前記ギャップに配置して接着材料を硬化させる。本実施形態では、第１のレンズ１２０は、互いに嵌合されて一体になった複数のサブレンズから形成されていてもよい。本実施形態では、第１のレンズ１２０の、結像に使用されない非光学面の側面と上面は、遮光層を形成することができる。この遮光層は、第１のレンズ１２０の側面と上面に遮光材料をスクリーン印刷することによって形成することができる。
【００８２】
一実施形態では、アクティブキャリブレーシンステップにおいて、第２のレンズ部材２００を固定し、第１のレンズ部材１００を治具によってクランプすることで、治具に接続された６軸運動機構の駆動下で第１のレンズ部材１００を移動させて、第１のレンズ部材１００と第２のレンズ部材２００との間の上記６つの自由度での相対移動を実現することができる。ここで、治具は、第１のレンズ部材１００の側面に寄りかかり、または部分的に寄りかかって、これによって、第１のレンズ部材１００をクランプして複数の自由度での位置調整を実行することができる。
【００８３】
以上の説明は、本願の好ましい実施形態および適用される技術原理についての説明に過ぎない。本願に係る発明の範囲は、上記の技術的特徴の特定の組み合わせによって形成される技術構成に限定されず、本発明の構想から逸脱することなく上記の技術的特徴または同等の特徴の任意の組み合わせによって形成される他の技術構成、例えば、上記特徴と、本願に開示された（これに限定されない）類似した機能を有する技術的特徴との置き換えによって形成される技術構成、をも含むことは、当業者は理解すべきである。
【図１】
2021534453.tif 000003
【図２】
2021534453.tif 000004
【図３】
2021534453.tif 000005
【図４】
2021534453.tif 000006
【図５】
2021534453.tif 000007
【図６】
2021534453.tif 000008
【図７】
2021534453.tif 000009
【図８】
2021534453.tif 000010
【図９】
2021534453.tif 000011
【図１０】
2021534453.tif 000012
【図１１】
2021534453.tif 000013
【図１２Ａ】
2021534453.tif 000014
【図１２Ｂ】
2021534453.tif 000015
【図１２Ｃ】
2021534453.tif 000016
【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
鏡筒と、
レンズ群を組み立てるように前記鏡筒に嵌め込まれた複数のレンズと
を含むレンズ群アセンブリであって、
前記複数のレンズのうちの少なくとも２つのレンズ間、および／または前記複数のレンズの少なくとも１つのレンズと前記鏡筒との間には、組み立てられる前記レンズ群の構造強度を補強するための接着材料がある、ことを特徴とする、レンズ群アセンブリ。
【請求項２】
前記複数のレンズは、前端にある３つのレンズを含み、前端にある前記３つのレンズのうちの少なくとも２つのレンズ間、および／または前端にある前記３つのレンズのうちの少なくとも１つのレンズと前記鏡筒との間には、前記接着材料がある、ことを特徴とする、請求項１に記載のレンズ群アセンブリ。
【請求項３】
前記レンズは、光学領域と、前記光学領域を囲む構造領域とを有し、前記複数のレンズは、隣接する２つの接着補強レンズを含み、前記隣接する２つの接着補強レンズの前記構造領域間には前記接着材料がある、ことを特徴とする、請求項２に記載のレンズ群アセンブリ。
【請求項４】
前記レンズは、光学領域と、前記光学領域を囲む構造領域とを有し、前記複数のレンズは、隣接する第１の嵌合レンズと第２の嵌合レンズとを含み、前記第１の嵌合レンズの構造領域が第１の嵌合突出部を有し、前記第２の嵌合レンズの構造領域が第２の嵌合突出部を有し、前記第１の嵌合突出部と第２の嵌合突出部が互いにずらされ、前記第１の嵌合突出部の内側面と前記第２の嵌合突出部の外側面との間に形成される嵌合ギャップに前記接着材料が配置されている、ことを特徴とする、請求項２に記載のレンズ群アセンブリ。
【請求項５】
前記接着材料が接着剤および／または接着フィルムを含む、ことを特徴とする、請求項２に記載のレンズ群アセンブリ。
【請求項６】
前記接着材料が接着剤である場合、前記接着剤は、チクソトロピー係数が１．２以内、粘度が５００以下の接着剤である、ことを特徴とする、請求項５に記載のレンズ群アセンブリ。
【請求項７】
前記接着材料が接着剤である場合、前記複数のレンズは、隣接する２つの接着補強レンズを含み、前記隣接する２つの接着補強レンズの間には、前記接着剤を収容する切欠きを有するガスケットがある、ことを特徴とする、請求項５に記載のレンズ群アセンブリ。
【請求項８】
前記接着材料が接着フィルムである場合、前記複数のレンズは、前記接着フィルムで接着される隣接する２つの接着補強レンズを含む、ことを特徴とする、請求項５に記載のレンズ群アセンブリ。
【請求項９】
前記複数のレンズは、嵌め込み補強レンズを含み、前記嵌め込み補強レンズと前記鏡筒との間には前記接着材料がある、ことを特徴とする、請求項１に記載のレンズ群アセンブリ。
【請求項１０】
前記鏡筒の内側には、前記複数のレンズが順に嵌め込まれている複数の階段がある、ことを特徴とする、請求項１に記載のレンズ群アセンブリ。
【請求項１１】
前記複数の階段のそれぞれは、前記鏡筒の軸に平行する階段側壁と、前記鏡筒の軸に垂直な階段面とを含む、ことを特徴とする、請求項１０に記載のレンズ群アセンブリ。
【請求項１２】
前記接着材料は接着剤であり、前記鏡筒の内側には、前記複数の階段のうちの少なくとも２つの隣接する階段の間に接着剤が流れるように前記少なくとも２つの隣接する階段を連通する分流チャネルがあり、前記分流チャネルが前記接着剤で充填されている、ことを特徴とする、請求項１１に記載のレンズ群アセンブリ。
【請求項１３】
前記分流チャネルは分流溝であり、前記分流溝に対応する少なくとも１つの階段に嵌め込み補強レンズが設置され、前記嵌め込み補強レンズの外側面と前記分流溝との間のギャップは前記接着材料で充填されている、ことを特徴とする、請求項１２に記載のレンズ群アセンブリ。
【請求項１４】
前記接着材料がリング状に配置されている、または、前記接着材料がリング状における複数の点に分布されている、ことを特徴とする、請求項１に記載のレンズ群アセンブリ。
【請求項１５】
前記接着材料が、ＵＶ接着剤、ＵＶ熱硬化性接着剤、熱硬化性接着剤、湿気硬化性接着剤、嫌気性接着剤、または溶媒揮発性硬化性接着剤である、ことを特徴とする、請求項１に記載のレンズ群アセンブリ。
【請求項１６】
少なくとも１つの第１のレンズを含む第１のレンズ部材、
第２の鏡筒と、前記第２の鏡筒内に取り付けられる、前記少なくとも１つの第１のレンズと一緒に結像可能な光学系を構成する少なくとも１つの第２のレンズと、を含む第２のレンズ部材、および
前記第１のレンズ部材と前記第２のレンズ部材の間に位置し、前記第１のレンズ部材と前記第２のレンズ部材の相対位置をアクティブキャリブレーションによって決められた相対位置に保つように前記第１のレンズ部材と前記第２のレンズ部材を支持するのに適しているアクティブキャリブレーション接着剤
を含む光学レンズであって、
前記第２のレンズ部材は、請求項１〜１５のいずれか１項に記載のレンズ群アセンブリであり、前記第２の鏡筒は前記レンズ群アセンブリの前記鏡筒であり、前記少なくとも１つの第２のレンズは前記レンズ群アセンブリの前記複数のレンズである、
ことを特徴とする、光学レンズ。
【請求項１７】
前記第１のレンズ部材がさらに第１の鏡筒を含み、前記少なくとも１つの第１のレンズが前記第１の鏡筒内に取り付けられている、ことを特徴とする、請求項１６に記載の光学レンズ。
【請求項１８】
前記第１のレンズ部材は前記レンズ群アセンブリであり、前記第１の鏡筒は前記レンズ群アセンブリの前記鏡筒であり、前記少なくとも１つの第１のレンズは前記レンズ群アセンブリの前記複数のレンズである、ことを特徴とする、請求項１７に記載の光学レンズ。
【請求項１９】
前記第１のレンズ部材の軸と前記第２のレンズ部材の軸との間の夾角はゼロではない、ことを特徴とする、請求項１６に記載の光学レンズ。
【請求項２０】
１）レンズ群を組み立てるように、内側に複数の階段を有する鏡筒に複数のレンズを順に嵌め込むステップと、
２）前記ステップ１）の実行中または前記ステップ１）の完了後に、組み立てられる前記レンズ群の構造強度を補強するように、前記複数のレンズのうちの少なくとも２つのレンズ間、及び／または前記複数のレンズの少なくとも１つのレンズと前記鏡筒との間に接着材料を添加するステップと
を含む、ことを特徴とする、レンズ群組立方法。
【国際調査報告】
2021534453.tif 000017
2021534453.tif 000018
2021534453.tif 000019
2021534453.tif 000020